(57)【要約】 【課題】イメージセンサの画素数を空間変調器の画素数よりも大きくすることなく、ホログラム再生時のオーバーサンプリングを容易且つ妥当な価格で実施すること。【解決手段】再生時、ホログラム記録メディア６０から発生する再生信号光３００の一部分のみをその部分を表示する空間変調器７の表示画素数と比して大なる画素数を有するイメージセンサ１２で受光し、これを再生信号３００光の異なる部分について繰り返し行い、複数回の受光により一枚の再生信号光３００が有する全情報を得る。空間変調器７の表示画素数とほぼ同等の画素数を持った安価なイメージセンサ１２を用いても、前記再生信号光３００の一部分のみを表示する空間変調器７の表示画素数と比してイメージセンサ１２の受光画素数が大きくなるため、オーバーサンプリングを容易且つ妥当な価格で実施することができる。【選択図】図１
2007199232.tif 000002
【特許請求の範囲】
【請求項１】
空間変調器に表示されたデータで空間変調された信号光と同時に照射される参照光との干渉縞を記録したホログラム記録メディアへ再生参照光を照射し、それにより前記ホログラム記録メディアから発生する再生信号光を撮像してデータを再生するホログラム再生装置であって、
全受光面で前記再生信号光の一部分を受光する撮像手段と、
前記撮像手段の受光面を前記再生信号光の照射範囲内で相対的に移動させる移動手段と
を具備し、
前記撮像手段を前記再生信号光の照射範囲内で相対的に移動させることによって、前記再生信号光の全ての照射範囲を受光して、前記再生信号光が有する全情報を再生することを特徴とするホログラム再生装置。
【請求項２】
前記撮像手段の受光画素数は前記部分再生信号光が含むデータを表示するための前記空間変調器の表示画素数よりも大きいことを特徴とする請求項１記載のホログラム再生装置。
【請求項３】
前記撮像手段により部分受光された信号をオーバーサンプリングして再生データを得ることを特徴とする請求項１または２記載のホログラム再生装置。
【請求項４】
前記撮像手段の受光面を前記再生信号光の結像面に一致させ、当該撮像手段を前記移動手段によって前記結像面上で並進移動させることを特徴とする請求項１または２記載のホログラム再生装置。
【請求項５】
前記データが前記ホログラム記録メディアの一つの記録エリアに多重記録されている場合、前記撮像手段を固定して多重記録されたデータに対応する部分再生信号光を全て受光した後、別の部分信号光を同様に受光すべく当該撮像手段を前記移動手段によって移動することを特徴とする請求項１または２記載のホログラム再生装置。
【請求項６】
前記ホログラム記録メディアへの前記データの多重記録は角度多重方式またはポリトピック多重方式でなされたことを特徴とする請求項５記載のホログラム再生装置。
【請求項７】
前記データが前記ホログラム記録メディアの一つの記録エリアに多重記録されている場合、前記撮像手段を固定して多重記録されたデータに対応する部分再生信号光を全て受光した後、前記再生参照光が前記ホログラム記録メディアの別の多重記録エリアを照射するように前記ホログラム記録メディアを相対移動した後、この記録エリアからの再生信号光を同様に部分受光することを繰り返し、その結果、当該撮像手段によって前記固定した位置で受光できる前記ホログラム記録メディアに記録されているすべてのデータを受光した後、別の部分信号光を同様に受光すべく当該撮像手段を前記移動手段によって移動することを特徴とする特徴とする請求項１または２記載のホログラム再生装置。
【請求項８】
前記ホログラム記録メディアへの前記データの多重記録は角度多重方式またはポリトピック多重方式でなされたことを特徴とする請求項７記載のホログラム再生装置。
【請求項９】
前記撮像手段はＣＣＤまたはＣＭＯＳイメージセンサであることを特徴とする請求項１または２記載のホログラム再生装置。
【請求項１０】
空間変調器に表示されたデータで空間変調された信号光と同時に照射される参照光との干渉縞を記録したホログラム記録メディアへ再生参照光を照射し、それにより前記ホログラム記録メディアから発生する再生信号光を撮像してデータを再生するホログラム再生方法であって、
前記再生信号光の一部分のみを、その部分が含むデータを表示する空間変調器の表示画素数と比較して大なる受光画素数を有するイメージセンサで受光し、これを再生信号光の異なる部分信号光について繰り返し行い、複数回の部分信号光の受光により一枚の再生信号光が有する全情報を得ることを特徴とするホログラム再生方法。
【請求項１１】
前記イメージセンサに到達した再生信号光全体の画像面積が、前記イメージセンサの受光面よりも大であることを特徴とする請求項１０記載のホログラム再生方法。
【発明の詳細な説明】
【技術分野】
【０００１】
本発明は、ホログラム記録メディアに記録されたデータを再生するホログラム再生装置に係り、特に再生信号光を受光するイメージセンサにより得られた信号をオーバーサンプリングして再生データを得るホログラム再生方法に関する。
【背景技術】
【０００２】
近年、ホログラフィック技術は、次世代、次々世代光ディスクと競合する強力なストレージ候補として注目を集めているホログラフックメモリの実用化に向けて、急速に開発が進められており、ホログラム技術を利用して大容量データの記録再生を行うホログラフィックデータストレージシステムの開発が進行している。
【０００３】
ホログラム記録再生装置(ボリュームホログラムメモリ)は、コヒーレントな信号光と参照光の干渉縞をホログラム記録メディア（フォトポリマなど）に記録し、この記録メディアに記録時と同一の参照光を照射して再生信号光を発生させ、この再生信号光をＣＣＤなどの撮像素子で光電変換することにより再生画像信号を得るものである。ホログラム記録においてはホログラム記録メディアの体積全体を用いた記録が行われるため、２次元的な情報記録を行う従来の光ディスクメモリと比較して、飛躍的な記録密度及び記録容量の増大の可能性を秘めている。
【０００４】
このようなボリュームホログラムメモリでは、さらなる記録密度向上のために、ホログラム記録メディアの同一箇所に多数の独立なページを記録する多重記録という手法が用いられている。この多重記録には各種の方式があり角度多重、ポリトピック多重、シフト多重、位相コード多重、スペックル多重方式などが代表的なものである。
【０００５】
図５は一般的な角度多重方式を採用したホログラム記録再生装置の従来構成を示したブロック図である（例えば特許文献１参照）。図５の装置でホログラム記録メディア６０にデータを記録する場合、シャッター２が閉まった状態で（記録時は常にシャッター５は開いている）、記録するデータページが空間変調器（透過性の液晶表示装置）７に表示されると共に、スピンドルモータ１０が回転してホログラム記録メディア６０の記録場所（記録領域）を決めた後、可動ミラー９の角度が決定されてからシャッター２が開らく。
【０００６】
これにより、レーザ光源１から出射された干渉性を持つレーザ光はシャッター２を通してビームエキスパンダ３に入り、これにより空間変調器７の変調領域を完全にカバー出来るビーム径に拡大される。その後、レーザ光はビームスプリッタ４に入射し、信号光１００と参照光２００に分割される。参照光２００は、可動ミラー９により進行方向を変えられ、図示されない参照光メディア入射角可変光学系を介してホログラム記録メディア６０に照射される。ここで、参照光２００のホログラム記録メディア６０への入射角は可動ミラー９の角度に対応した角度になっている。
【０００７】
一方、信号光１００はミラー６を介して空間変調器７に入射され、データページが表示された空間変調器７を通ることで、空間変調（振幅変調）される。空間変調器７は、例えば液晶ディスプレーを用いて、多数の画素の透過率を独立に変化させることにより、図６（Ａ）に示す様な空間変調パターンを作り出す。空間変調された信号光１００は、信号光レンズ８を介してホログラム記録メディア６０中で参照光２００と重なる様に照射される。ホログラム記録メディア６０中に照射された参照光２００と信号光１００は、メディア中で干渉し、その結果発生した干渉縞の光強度分布がホログラムとしてメディア中に記録される。その後、シャッター２が閉じられる。
【０００８】
その後、空間変調器７に次に記録するデータページが表示されると共に、可動ミラー９が僅かに回転してその角度が予め決められた角度変化する。この状態で、シャッター５が開くと、ホログラム記録メディア６０に対する入射角度が僅かに異なる参照光と次に記録するデータページで空間変調された信号光１００との干渉縞が前回と同一記録領域に多重記録される。この動作を繰り返し、ホログラム記録メディア６０上の一箇所に所望の枚数のデータページが多重記録される。その後、ホログラム記録メディア６０を回転させて信号光レンズ８に対して相対移動させ、記録メディア６０上の新たな箇所に再びホログラムが多重記録される。
【０００９】
上記のように記録されたホログラムを再生する時は信号光シャッター５を閉じた状態でシャッター２を開くことにより、再生すべきデータページが記録されたホログラム記録メディア６０の位置に参照光（この場合再生参照光と称するのが正確であるが以下単に参照光と称する）２００を照射する。参照光２００の照射により生じたホログラム再生信号光３００は、再生信号光レンズ１１を介して撮像手段であるイメージセンサ１２上に結像する。イメージセンサ１２には、一般に多数の画素が２次元的に配列されたＣＣＤやＣＭＯＳイメージセンサが用いられ、その各画素に入射する光強度を解析することにより、図６（Ａ）に示すような変調パターンのデコードが行われる。その際、可動ミラー９の角度を変化させることにより、ホログラム記録メディア６０の同一記録領域に多重記録されたデータページが各々分離されて連続再生される。
【００１０】
ところで、ホログラム１枚当りのデータ量を可能な限り大きくし、以ってホログラム記録メディア一枚当りの記録容量を可能な限り大きくするためには、一般に空間変調器７の画素（表示画素）数は数万から数百万と非常に大きくとられる。従って一度の再生信号受光でデータを不足なく再生するためには、図６（Ｂ）に示すようにイメージセンサ１２の画素（受光画素）数は空間変調器７のそれと同じか、若しくはそれより大きいことが要求される。ここで、イメージセンサ１２の画素数が空間変調器１２のそれと比して大きい場合、再生信号光を構成する各々の画素をイメージセンサ１２上の複数の画素を以って図６（Ｃ）に示すように受光すること（オーバーサンプリング）が可能となる。
【００１１】
図６（Ｃ）は、イメージセンサ１２の画素数が空間変調器７のそれの４倍である場合についてのオーバーサンプリング受光の様子を示している。オーバーサンプリング受光を行った場合とそうでない場合と比較して、（１） 再生信号光のイメージセンサ受光面内における並進方向、及び回転方向の位置ずれによるＳＮＲの劣化が少ない。（２） イメージセンサ１２上の複数の画素間で受光輝度を演算することにより、受光信号のＳＮＲを改善することが可能となる。といった利点が生じ、記録密度向上に寄与するところが大である。
【特許文献１】特開２００５−２３４１７９号公報
【発明の開示】
【発明が解決しようとする課題】
【００１２】
上記のようなオーバーサンプリングを行うに際して、従来は１枚のホログラムからの再生信号像全体を一度に受光する方式を採っているため、オーバーサンプリング受光を行うためにはイメージセンサ１２の画素(受光画素)数は必ず空間変調器７の画素(表示画素)数よりも大である必要があった。しかしながら、先にも述べたとおり、空間変調器７の画素数は数百万にも及ぶことがあるため、その数倍以上であることが要求されるオーバーサンプリング受光用イメージセンサ１２の画素数は膨大な値となり、その様なイメージセンサの実現は技術的、経済的に困難となっていた。尚、このオーバーサンプリング受光に関する問題は上記の角度多重方式の装置に限らず、どのような方式のホログラム装置についてもその再生時に同様に生じる問題である。
【００１３】
本発明は前記事情に鑑み案出されたものであって、本発明の目的は、イメージセンサの受光画素数を空間変調器の表示画素数よりも大きくすることなく、ホログラム再生時のオーバーサンプリングを容易且つ妥当な価格で実施することができるホログラム再生装置及び方法を提供することにある。
【課題を解決するための手段】
【００１４】
本発明は上記目的を達成するため、空間変調器に表示されたデータで空間変調された信号光と同時に照射される参照光との干渉縞を記録したホログラム記録メディアへ再生参照光を照射し、それにより前記ホログラム記録メディアから発生する再生信号光を撮像してデータを再生するホログラム再生装置であって、全受光面で前記再生信号光の一部分を受光する撮像手段と、前記撮像手段の受光面を前記再生信号光の照射範囲内で相対的に移動させる移動手段とを具備し、前記撮像手段を前記再生信号光の照射範囲内で相対的に移動させることによって、前記再生信号光の全ての照射範囲を受光して、前記再生信号光が有する全情報を再生する。
【００１５】
本発明の前記撮像手段の受光画素数は、前記部分再生信号光が含むデータを表示するための前記空間変調器の表示画素数よりも大きい。
【００１６】
本発明の空間変調器に表示されたデータで空間変調された信号光と同時に照射される参照光との干渉縞を記録したホログラム記録メディアへ再生参照光を照射し、それにより前記ホログラム記録メディアから発生する再生信号光を撮像してデータを再生するホログラム再生方法であって、前記再生信号光の一部分のみをその部分が含むデータを表示する空間変調器の表示画素数と比して大なる画素数を有するイメージセンサで受光し、これを再生信号光の異なる部分について繰り返し行い、複数回の受光により一枚の再生信号光が有する全情報を得る。
【００１７】
このように本発明では、再生信号光の一部分のみを当該再生信号光の結像面に位置するイメージセンサで受光することにより、空間変調器の表示画素数とほぼ同等、或いはそれ以下の画素数を持った比較的安価で製造可能なイメージセンサを用いても、前記再生信号光の一部分のみを表示する空間変調器の表示画素数と比してイメージセンサの受光画素数が大きくなる。これにより、オーバーサンプリング受光を容易且つ妥当な価格で実施することができる。
【発明の効果】
【００１８】
本発明によれば、再生信号光の一部分のみを当該再生信号光の結像面に位置するイメージセンサで受光することにより、オーバーサンプリング受光を比較的安価で製造可能なイメージセンサを用いて行うことができる。それ故、オーバーサンプリング受光によって再生信号光のイメージセンサ受光面内における並進方向、及び回転方向の位置ずれによるＳＮＲの劣化を少なくでき、且つ、 イメージセンサ上の複数の画素間で受光輝度を演算することにより、受光信号のＳＮＲを改善することが可能となり、高品質の再生データを得ることができる高記録密度ホログラム再生装置を安価に実現することが可能となる。
【発明を実施するための最良の形態】
【００１９】
図１は、本発明の一実施形態に係るホログラム記録再生装置の構成を示したブロック図である。但し、従来例と同様の部分には同一符号を付して説明する。ホログラム記録再生装置は、レーザ光源１、シャッター２、５、ビームエキスパンダ３、ビームスプリッタ４、ミラー６、空間変調器７、信号光レンズ８、ディスク状のホログラム記録メディア（フォトポリマ材等）６０、可動ミラー９、スピンドルモータ１０、再生信号光レンズ１１、ＣＣＤイメージセンサやＣＭＯＳイメージセンサ１２、イメージセンサ１２を一平面内で並進移動させる可動ステージ１３、空間変調器７の表示制御、シャッター２、５の開閉動作制御、可動ミラー９の回転角度制御、可動ステージ１３の並進移動制御、ホログラム記録メディア６０の回転制御を行うと共に、装置全体の制御を行う制御装置１４及びイメージセンサ１２からの光電変換信号を処理して画像データとする画像処理部１５を有している。
【００２０】
尚、本ホログラム装置の構成は従来のそれとほぼ同様で角度多重方式を採用しているが、異なる部分はイメージセンサ１２が再生信号光レンズ１１により結像される再生画像の一部分を受光する大きさの受光面を持ち、可動ステージ１３によって再生画像の結像面を移動して他の部分再生信号光を順次受光して全体の画像を画像データに変換するところにある。また、本実施形態のイメージセンサ１２の画素数は空間変調器７の画素数と同じとする。また、ポリトピック多重方式を採る場合は再生時にホログラム記録メディア６０中の再生対象の記録エリア（この場合のエリアは２次元的な領域を言うのではなく３次元的な領域を意味するものとする。）の背面にアパーチャを配置すれば、図１の構成は本発明をポリトピック多重方式のホログラム再生装置に適用したものとなる。
【００２１】
ここで、ポリトピック多重方式とは、角度多重方式をベースにして2004年、米InPhase社より提案された多重方式のことである。ここで、両方式の違いを説明する。両方式の違いはホログラム記録メディアの後に配置されるアパーチャ（ポリトピックアパーチャ）の有無のみである。即ち、ポリトピック多重方式は再生時にホログラム記録メディア中の再生対象となっている記録エリアの背面にアパーチャが配置されている。このアパーチャの存在が、記録密度向上の点で大きな効果をもたらす。一般に角度多重方式においては、平行ビーム参照光が用いられる。従って再生参照光をホログラム記録メディアに照射した場合、再生対象のホログラム多重エリア（一般にブックと呼ばれる）からは勿論、それに隣接するブックからも同時に複数の再生像が得られる。ブック間距離が接近し過ぎている場合、これら複数の再生像が互いに重なり合い、デコードが極めて困難となる（ブック間クロストーク）。従って、従来の角度多重方式においてはブック間距離を余り小さくとることは出来ず、記録密度向上の点で大きな障害となっていた。一方、ポリトピック多重方式においても、同様に平行ビーム参照光が用いられるが、ポリトピックアパーチャにより、再生対象外のブックよりの再生像を遮断することが可能である。従ってブック間距離を従来の角度多重方式と比較して小さくすることが可能で、記録密度を大きく向上させることが出来る。
【００２２】
次に本実施形態の動作について説明する。再生画像の本ホログラム装置のホログラム記録再生動作は従来例のそれと基本的に同じであるため、以下、その特徴部分について主に説明する。記録時、空間変調器７に表示された複数のデータページは角度多重方式でホログラム記録メディア６０の同一記録領域に多重記録される。
【００２３】
再生時、記録時と同一の参照光(再生参照光)２００がホログラム記録メディア６０に照射されると、そのときの入射角度に対応する再生信号光３００が発生し、これが再生信号光レンズ１１によりイメージセンサ１２の受光面を含む平面上に再生画像として結像される。その際、本例のイメージセンサ１２の受光面が再生画像面全体のほぼ１/４を占める大きさとなるように、再生光レンズ１１の結像倍率を調整してあるため、イメージセンサ１２は再生信号光３００の一部分のみを受光し、この動作を再生信号光３００の異なる部分について同様に繰り返すことにより、最終的に再生信号光３００全体を受光して、再生信号光３００が有する全情報を再生する。
【００２４】
しかし、このような受光動作では、イメージセンサ１２は再生信号光レンズ１１により結像される再生画像の一部分を受光するため、受光面の画素数は空間変調器７が再生信号光３００の一部分に対応した部分データを表示するに必要な画素数より大きくなる。例えば、イメージセンサ１２が再生信号光３００の１/４ずつ受光する場合、空間変調器７の画素数の４倍であると見做せる。従って、イメージセンサ１２の部分再生信号光受光においてはオーバーサンプリングが成立する。この場合、一度に再生信号光３００全体をオーバーサンプリングする場合に比較して、イメージセンサ１２の画素数は空間変調器７の画素数に比べて同等以下としてもよく、リーゾナブルな価格で製造可能なものを使用することができる。
【００２５】
図２は本発明を適用したホログラム再生の様子を示したものである。この例においては再生信号３００を４つの部分信号３００ａ〜３００ｄに分割し、そのそれぞれの部分信号光をイメージセンサ１２で独立に受光する場合を想定している。例えば空間変調器７にXGA分解能（1024ｘ768画素）の液晶パネルを使用した場合、図２に示す部分信号光はそれぞれ最大で1024ｘ768/4  =  24.6kByteのデータ容量を有することが可能である。一般的にイメージセンサ１２としてはＣＣＤ、若しくはＣＭＯＳといった多画素の光センサーを用い、この上に部分信号光を再生信号光レンズ１１によって適切な光学倍率を以って結像させる。
【００２６】
図２は空間変調器（即ち一枚の再生信号全体）７と同一の画素数を有するＣＭＯＳイメージセンサ１２を用いた場合に、イメージセンサ１２上の４画素を以って部分信号の１画素をオーバーサンプリング受光出来る様に、再生信号光レンズ１１の結像倍率を設定した場合を示している。ある部分信号光の受光を完了した時、次の部分信号光を受光するためにイメージセンサ１２の位置を並進移動して再度受光処理を行う。これを繰り返して最終的には再生信号光３００全体を受光する。この際に、イメージセンサ１２は各部分信号光３００ａ〜３００ｄを順次受光するように制御部１４で制御されるステージ１３によって再生信号光結像面上を並進移動される。
【００２７】
イメージセンサ１２からの画像信号は画像処理部１５で処理されるが、再生信号光３００全体で１枚の写真などが再生される場合は、部分信号３００ａ〜３００ｄを受光して得た画像信号を画像処理部１５に内蔵される画像メモリなどを用いて１枚の画像信号に合成する。
【００２８】
空間変調器７とイメージセンサ１２の画素数及び画素ピッチ、それに加えて再生信号光レンズ１１の結像倍率は様々なものが考えられ、部品調達や光学設計の容易さに応じた組み合わせを採ることが可能である。実際のホログラム再生においては、ホログラム記録メディア６０のひとつの記録多重領域から生じる一枚の再生信号光の部分信号光を全て受光し、当該再生信号光全体の受光を完了した後に次の一枚の再生信号光の受光にかかっても良い。
【００２９】
しかしながらこの場合イメージセンサ１２の位置を頻繁に動かす必要が生じ、従来の再生方法と比較して転送レートが大幅に低下する問題が生じる。この影響を可能な限り小さくするためには、部分再生信号光を１枚受光した後、同じ再生信号光中の他の部分信号光ではなく、異なる再生信号光中の相対的に同じ位置の部分信号光を受光する方法を採ればよい。
【００３０】
図３にこの様子を示す。この場合は角度多重記録を想定しているが、ある入射角の参照光２００をホログラム記録メディア６０に照射して再生信号光を得、例えば部分信号光３００ｃをイメージセンサ１２で受光する。その後、参照光２００のホログラム記録メディア６０に対する入射角を変化させて異なる再生信号光３００を得、同じくこの再生信号光の部分信号３００ｃをイメージセンサ１２で受光する。この時イメージセンサ１２の位置は、前の部分信号受光時と同一の位置にあり、まったく移動させない。即ち、異なる再生信号光中の相対的に同一位置にある部分信号光のみを連続して受光する。これを繰り返し、ホログラム記録メディア６０上の同一箇所に多重してある全てのホログラムについて上記の受光が完了したら、ホログラム記録メディア６０を回転移動して、別の記録箇所の再生に移り、上記と同様の受光動作を繰り返す。
【００３１】
ホログラム記録メディア６０上の全領域に亙って上記が完了した時点で図４に示す様にイメージセンサ１２の位置を移動し、再生信号光中のそれまでとは異なる位置にある部分信号光を受光可能な状態とし、上記動作を繰り返す。この図４の場合は、イメージセンサ１２の位置を部分信号３００ｂ、３００ａ、３００ｄと並進移動している。ホログラム記録メディア６０に記録された全ての信号が再生されるまで上記動作を繰り返す。
【００３２】
一般に記録メディア６０の回転や参照光の角度変化に要する時間と比較して、イメージセンサ位置の移動に要する時間は大幅に長くなるが、以上の様な再生手順を踏むことにより、イメージセンサ１２の移動に伴う転送レートの低下を最低限に抑えることが可能である。
【００３３】
ところで、上記のようなイメージセンサ１２の並進移動の仕方以外に、例えば、ホログラム記録メディア６０のひとつの記録領域の角度多重データをすべて再生してからホログラム記録メディア６０を回転させて次の記録領域に進むという再生方法もある。具体的には、イメージセンサ１２は部分信号３００ａを受光する位置で、角度多重データをすべて再生してから部分信号３００ｂを受光する位置に移動し、ここで、角度多重データをすべて再生してから部分信号３００ｃを受光する位置に移動して同様のことを行い、さらに部分信号３００ｄを受光する位置に移動して同様のことを行うと、この記録エリアに記録された角度多重データをすべて再生したことになる。その後、ホログラム記録メディア６０を回転させて、次の記録領域の角度多重データを同様の動作によりすべて再生する。
【００３４】
ここで、可動ミラー９の回転角度制御、可動ステージ１３の並進移動制御、ホログラム記録メディア６０の回転制御の順番は上記以外に各種の組み合わせがあるが、イメージセンサ１２が１回で受光する部分信号光が一つの完結したデータ(例えば１枚の写真)であった場合は上記の組み合わせに拘わらず、後の画像処理部１５の画像処理で合成する必要はない。しかし、イメージセンサ１２が１回で受光する部分信号光だけでは一つの完結したデータでない場合は（例えば１枚の写真の半分）、イメージセンサ１２が受光した残りのデータを、後の画像処理で合成すればよい。
【００３５】
本実施形態によれば、空間変調器７の画素数とほぼ同等の画素数を持ったイメージセンサ１２を用いて、再生信号光３００の一部分をオーバーサンプリング受光し、その後、このイメージセンサ１２を並進移動させて再生信号光３００の他の部分をオーバーサンプリング受光し、これを繰り返して再生信号光３００全体を受光して画像データ化することによって、イメージセンサ１２の画素数を空間変調器７の画素数よりも大きくすることなく、ホログラム再生時のオーバーサンプリングを容易且つ妥当な価格で実施することができる。
【００３６】
尚、本発明は上記実施形態に限定されることなく、その要旨を逸脱しない範囲において、具体的な構成、機能、作用、効果において、他の種々の形態によっても実施することができる。例えば、上記の実施形態では、１枚の再生信号光３００を４分割した場合についての説明であったが、再生信号光３００の分割数は４に限るものではなく、イメージセンサ１２の画素数や光学設計の容易さを勘案して任意の数を採り得る。
【００３７】
また、上記の実施形態では、角度多重方式による再生方法の例であったが、他の多重方式、例えばシフト多重方式や位相多重方式においても、同様の再生方法を適用することは可能であり、また、多重方式をとらないホログラム記録の再生においても同様で、この場合は多重再生制御がないだけである。さらに、上記実施形態ではイメージセンサ１２を移動させたが、再生光学系を移動させても、或いはこれら両者を移動させても良い。
【図面の簡単な説明】
【００３８】
【図１】本発明の一実施形態に係るホログラム記録再生装置の構成を示したブロック図である。
【図２】図１に示したイメージセンサで部分再生信号光を受光する様子を説明する図である。
【図３】多重記録されたデータページの部分再生信号光を受光する様子を説明する図である。
【図４】図１に示したイメージセンサを並進移動して部分再生信号光を受光する様子を説明する図である。
【図５】一般的な角度多重方式ボリュームホログラムメモリ装置の従来構成を示したブロック図である。
【図６】ホログラム再生信号をオーバーサンプリング受光する様子を示した図である。
【符号の説明】
【００３９】
１……レーザ光源、２、５……シャッター、３……ビームエキスパンダ、４…ビームスプリッタ、６………ミラー、９………可動ミラー、７……空間変調器（ＳＬＭ）、８…信号光レンズ、１０……スピンドルモータ、１１…再生信号光レンズ、１２…ディテクタ、１３…可動ステージ、１４……制御装置、１５……画像処理部、６０……ホログラム記録メディア。
【図１】
2007199232.tif 000003
【図２】
2007199232.tif 000004
【図３】
2007199232.tif 000005
【図４】
2007199232.tif 000006
【図５】
2007199232.tif 000007
【図６】
2007199232.tif 000008